(57)【要約】【課題】樹脂成型で得られるハウジングにスナップフィットが一体的に形成され、そのスナップフィットを介して部品の組付けをなせるようになっている電気接続箱について、樹脂成型用の金型における金型割り面に影響されることなく、スナップフィットの位置誤差解消のための金型修正を容易に行えるようにする【解決手段】電気接続箱３１は、樹脂成型で得られるハウジング２における部品組付け部３にスナップフィット３３が一体的に形成され、そのスナップフィットを介して部品の組付けをなせるようにされている。そしてスナップフィットは、部品組付け部に一体的に形成されたスナップフィット台座３２の上にスナップフィットを形成すようにされ、スナップフィット台座は、スナップフィットの基部１２における底面積より広い面積をもって部品組付け部の表面に突出するようにされ、かつ端縁部３４がスナップフィットの基部の側面から突出するようにされている。【選択図】  図１
2010005883.tif 000002
【特許請求の範囲】
【請求項１】
成型対象物（ハウジング）上での位置について一定以上の精度が求められる成型対象部（スナップフィット）の成型用として成型駒（スナップフィット駒）が固定コア（固定コア）に組み込まれてなる金型装置において、
前記成型駒と前記固定コアの間に補助駒（スナップフィット台座駒）が設けられ、前記補助駒の修正により前記成型対象部の位置精度の確保をなせるようにされていることを特徴とする金型装置。
【請求項２】
前記成型対象物は、電気接続用モジュールのハウジングであり、前記成型対象部は、前記ハウジングにおける部品組付け部に一体的に形成されるスナップフィットであり、前記スナップフィットは、スナップフィット台座上に形成されており、前記スナップフィット台座は、前記スナップフィットの基部における底面積より広い面積をもって前記部品組付け部の表面に突出するように形成され、かつ端縁部が前記スナップフィットの基部の側面から突出するように形成されており、そして前記成型駒は、前記スナップフィットの成型用であり、前記補助駒は、前記スナップフィット台座の成型用であることを特徴とする請求項１に記載の金型装置。
【請求項３】
樹脂成型で得られるハウジングにおける部品組付け部にスナップフィットが一体的に形成され、前記スナップフィットを介して部品の組付けをなせるようになっている電気接続用モジュールにおいて、
前記スナップフィットは、前記部品組付け部に一体的に形成されたスナップフィット台座上に形成されており、前記スナップフィット台座は、前記スナップフィットの基部における底面積より広い面積をもって前記部品組付け部の表面に突出するように形成され、かつ端縁部が前記スナップフィットの基部の側面から突出するように形成されていることを特徴とする電気接続用モジュール。
【発明の詳細な説明】
【技術分野】
【０００１】
本発明は、樹脂成型品の成型で用いられる金型装置に関し、またその金型装置による樹脂成型で得られるハウジングを様々な電気接続用の部品を組付け用として有し、そのハウジングに部品組付け用のスナップフィットが一体的に形成されている電気接続用モジュールに関する。
【背景技術】
【０００２】
例えばバスバーや端子あるいは回路基板などの様々な電気接続用の部品を組付けて構成される電気接続用モジュールの代表的な例として、車両における配線系で用いられる電気接続箱がある。
【０００３】
図５に、電気接続箱の代表的な構成例を示す。この例の電気接続箱１は、樹脂成型で得られるハウジング２を有している。ハウジング２は、部品組付け部３にバスバー４（バスバー４ａ、バスバー４ｂなど）や端子５などの導電要素がインサート成型で組付けられ、バスバー４ａやバスバー４ｂについては、部品組付け部３に設けた窓部６（窓部６ａ、窓部６ｂなど）においてその一部が露出するようにされている。また部品組付け部３には、嵌合装着部７が設けられ、この嵌合装着部７に後付けバスバー８が非インサートの後付け導電要素として嵌合装着で組付けられている。さらに部品組付け部３には、４箇所でスナップフィット１１が一体的に形成され、これら４箇所のスナップフィット１１を介して図外の回路基板などの部品をスナップフィット構造で組付けることができるようにされている。
【０００４】
スナップフィット１１は、図６に拡大して示すように、部品組付け部３に一体化されている円柱状の基部１２から一対のスナップ片１３、１３を間に変形用間隙１４が挟まる状態で軸対称的にして延設した構造とされている。スナップ片１３は、脚部１５と係止頭部１６を有しており、係止頭部１６に形成のテーパ面１７を組付け相手の部品（図示せず）に形成の組付け孔に押接させて変形用間隙１４を狭める状態に変形するようにされている。
【０００５】
このようなスナップフィット１１をハウジング２の成型時に部品組付け部３に一体成型するについては、成型条件や使用樹脂の種類に応じた成型時の樹脂の収縮や変形によりスナップフィット１１の位置にある程度の誤差が生じるのを避けられない。ところが電気接続箱の場合、部品の組付けに高い精度が求められ、したがってスナップフィット１１の位置についても高い精度が求められる。そのため試作した成型品におけるスナップフィットの位置誤差に応じて金型装置（以下では適宜に金型と呼ぶ）の修正を行う必要があるが、電気接続箱１におけるハウジング２の樹脂成型の場合、その金型修正に大きな困難が伴うという問題がある。
【０００６】
図７と図８に示すのはスナップフィット部位の金型の構造で、図７は成型時の金型とスナップフィット１１の関係を示し、図８は成型後の金型とスナップフィット１１の関係を示している。スナップフィット部位の金型は、固定コア２１にスナップフィット１１の成型用であるスナップフィット駒２２を組み込んだ構造となっている。こうした金型構造上からスナップフィット１１の成型部位が金型の割り面２３に位置するのを避けられず、このことが金型修正に大きな困難をもたらす要因となっている。
【０００７】
なお、スナップフィット構造で回路基板を組付ける技術については例えば特許文献１に開示の例が知られている。
【０００８】
【特許文献１】特開２００７−５９７５３号公報
【発明の開示】
【発明が解決しようとする課題】
【０００９】
上述のように、電気接続箱などの電気接続用モジュールにおける樹脂成型のハウジングに部品取付け用のスナップフィットを一体成型で形成する場合、スナップフィット成型部位が金型割り面に位置するために、スナップフィットの位置誤差を解消するための金型の修正に大きな困難が伴うという問題があり、その解決が望まれていた。
【００１０】
本発明は、このような要求に応えるためになされたものであり、金型割り面に影響されることなく、スナップフィットなどのように位置精度要求の高い成型対象部の位置誤差解消のための金型修正を容易に行えるような金型装置の提供を第１の課題とし、そのような金型装置による成型を可能とする電気接続用モジュールの提供を第２の課題としている。
【課題を解決するための手段】
【００１１】
本発明では、上記第１の課題を解決するために、成型対象物上での位置について一定以上の精度が求められる成型対象部の成型用として成型駒が固定コアに組み込まれてなる金型装置において、前記成型駒と前記固定コアの間に補助駒が設けられ、前記補助駒の修正により前記成型対象部の位置精度の確保をなせるようにされていることを特徴としている。
【００１２】
このような金型装置では、位置精度要求の高い成型対象部の成型用である成型駒と固定コアの間に介在する補助駒の修正により成型対象部における位置精度を確保することができることから、補助駒で成型される成型対象物上の成型部を高い精度が要求されることのない成型部として成型対象物を設計することにより、金型割り面に影響されることなく、位置精度要求の高い成型対象部の位置誤差解消のための金型修正を容易に行えるようなる。
【００１３】
上記のような金型装置は、電気接続用モジュールのハウジングの成型に特に適している。したがって本発明では上記のような金型装置について、前記成型対象物は、電気接続用モジュールのハウジング２であり、前記成型対象部は、前記ハウジング２における部品組付け部３に一体的に形成されるスナップフィット３３であり、前記スナップフィットは、スナップフィット台座３２上に形成されており、前記スナップフィット台座は、前記スナップフィットの基部１２における底面積より広い面積をもって前記部品組付け部の表面に突出するように形成され、かつ端縁部３４が前記スナップフィットの基部の側面から突出するように形成されており、そして前記成型駒は、前記スナップフィットの成型用であり、前記補助駒は、前記スナップフィット台座の成型用であることを好ましい形態としている。
【００１４】
本発明では、上記第２の課題を解決するために、樹脂成型で得られるハウジングにおける部品組付け部にスナップフィットが一体的に形成され、前記スナップフィットを介して部品の組付けをなせるようになっている電気接続用モジュールにおいて、前記スナップフィットは、前記部品組付け部に一体的に形成されたスナップフィット台座上に形成されており、前記スナップフィット台座は、前記スナップフィットの基部における底面積より広い面積をもって前記部品組付け部の表面に突出するように形成され、かつ端縁部が前記スナップフィットの基部の側面から突出するように形成されていることを特徴としている。
【００１５】
このような電気接続用モジュールでは、スナップフィットの成型部位における金型構造にスナップフィット台座成型用のスナップフィット台座駒が組み込まれる。つまり、固定コアとスナップフィット駒の間にスナップフィット台座駒が介在する金型構造となる。そしてスナップフィット台座の平面形状、具体的にはスナップフィット台座の端縁部がスナップフィットの基部の側面から突出する程度については高い精度を必要としないことから、スナップフィット台座駒には高い精度を必要としない。このためスナップフィット台座駒については容易に形状やサイズを修正することができ、このスナップフィット台座駒の修正により、金型割り面に影響されることなく、スナップフィットの位置誤差解消のための金型修正を容易に行うことが可能となる。
【発明の効果】
【００１６】
以上のような本発明によれば、金型割り面に影響されることなく、スナップフィットなどのように位置精度要求の高い成型対象部の位置誤差解消のための金型修正を容易に行えるようになる。
【発明を実施するための最良の形態】
【００１７】
以下、本発明を実施するための形態について説明する。図１に、一実施形態による電気接続用モジュールである電気接続箱３１の構成を示す。なお、電気接続箱３１は、基本的には図５における電気接続箱１と同様で、スナップフィット台座３２を有したスナップフィット３３が形成されている点で相違しているだけである。したがって電気接続箱１と共通する構成については、図５におけるのと同一の符号を付して示し、上での説明を援用するものとする。
【００１８】
図２にスナップフィット３３を拡大して示す。なお、スナップフィット３３は、スナップフィット台座３２を有することを除いて、図６におけるスナップフィット１１と同様である。したがってスナップフィット１１と共通する構成については、図６におけるのと同一の符号を付して示し、上での説明を援用するものとする。図２に示すように、スナップフィット３３は、部品組付け部３に一体的に形成されたスナップフィット台座３２の上に形成されている。スナップフィット台座３２は、スナップフィット３３の基部１２における底面積より広い面積をもって部品組付け部３の表面に突出するように形成され、また端縁部３４がスナップフィット３３の基部１２の側面から適宜な突出幅ｗで突出するように形成されている。
【００１９】
図３と図４に、スナップフィット３３の部位における金型の構造例を示す。図３は成型時の金型とスナップフィット３３の関係を示し、図４は成型後の金型とスナップフィット３３の関係を示している。図の例の金型は、固定コア２１にスナップフィット台座駒３５とスナップフィット駒２２を組み込んだ構造となっている。このような金型は、成型対象物上で位置について一定以上の精度が求められる成型対象部（ハウジング２の部品組付け部３におけるスナップフィット３３に対応する）の成型用として成型駒（スナップフィット駒２２に対応する）が固定コア（固定コア２１に対応する）に組み込まれ、それら成型駒と固定コアの間に補助駒（スナップフィット台座駒３５に対応する）が設けられた構造の金型と一般化することができる。
【００２０】
スナップフィット台座駒３５は、上述のように補助駒であり、スナップフィット台座３２の成型用で、固定コア２１とスナップフィット駒２２の間に介在するように組み込まれている。この補助駒であるスナップフィット台座駒３５には必ずしも高い精度を必要としない。それは、スナップフィット台座３２の端縁部３４の突出幅ｗに必ずしも一定性を必要としない、つまりスナップフィット台座３２の平面形状に必ずしも一定性を必要としないからである。このように高い精度を必要としないスナップフィット駒２２については容易に形状やサイズを修正することができる。そしてスナップフィット駒２２の形状やサイズを修正することにより、金型の割り面２３に影響されずに、スナップフィット３３の位置誤差解消のための金型修正を容易に行うことが可能となる。
【００２１】
以上、本発明を実施するための形態について説明したが、これは代表的な例に過ぎず、本発明はその趣旨を逸脱することのない範囲で様々な形態で実施することができる。
【図面の簡単な説明】
【００２２】
【図１】一実施形態による電気接続用モジュールである電気接続箱の構成を簡略化して示す図である。
【図２】図１の電気接続箱におけるスナップフィットの側面視状態を拡大して示す図である。
【図３】スナップフィット部位における金型の構造例を成型時の金型とスナップフィットの関係として簡略化して示す図である。
【図４】スナップフィット部位における金型の構造例を成型後の金型とスナップフィットの関係として簡略化して示す図である。
【図５】従来の電気接続箱の構成を簡略化して示す図である。
【図６】図５の電気接続箱におけるスナップフィットの側面視状態を拡大して示す図である。
【図７】スナップフィット部位における従来の金型の構造を成型時の金型とスナップフィットの関係として簡略化して示す図である。
【図８】スナップフィット部位における従来の金型の構造を成型後の金型とスナップフィットの関係として簡略化して示す図である。
【符号の説明】
【００２３】
２    ハウジング
３    部品組付け部
１２    基部
２１    固定コア
２２    スナップフィット駒
３１    電気接続箱（電気接続用モジュール）
３２    スナップフィット台座
３３    スナップフィット
３４    端縁部
３５    スナップフィット台座駒
【図１】
2010005883.tif 000003
【図２】
2010005883.tif 000004
【図３】
2010005883.tif 000005
【図４】
2010005883.tif 000006
【図５】
2010005883.tif 000007
【図６】
2010005883.tif 000008
【図７】
2010005883.tif 000009
【図８】
2010005883.tif 000010